(57)【要約】【課題】アスタキサンチンを含有する液状の石鹸やリンスを容器に入れ、アスタキサンチン含有率の低下を抑え、アスタキサンチンの効能を維持すること。【解決手段】開口部２を有し、遮光性を有する容器１と、該容器１に収容されるアスタキサンチンを含有する液体石鹸又は液体リンス４とを備え、アスタキサンチンの物質を減少を抑える、容器入りアスタキサンチン含有液体石鹸・リンス。【選択図】        図１
2005002175.tif 000002
【特許請求の範囲】
【請求項１】
開口部を有し、遮光性を有する容器と、
該容器に収容されるアスタキサンチンを含有する液体石鹸又は液体リンスとを備え、
アスタキサンチン含有率の低下を抑えることを特徴とする、容器入りアスタキサンチン含有液体石鹸・リンス。
【請求項２】
請求項１に記載の容器入りアスタキサンチン含有液体石鹸・リンスにおいて、
容器の開口部を開閉する開閉部を備え、
開閉部を閉じて容器内に空気を入り難くすることを特徴とする、容器入りアスタキサンチン含有液体石鹸・リンス。
【請求項３】
請求項１に記載の容器入りアスタキサンチン含有液体石鹸・リンスにおいて、容器は、エアレスポンプ式容器であり、容器内に空気を入り難くすることを特徴とする、容器入りアスタキサンチン含有液体石鹸・リンス。
【請求項４】
請求項２に記載の容器入りアスタキサンチン含有液体石鹸・リンスにおいて、容器は、変形可能な蓋付チューブ状容器であることを特徴とする、容器入りアスタキサンチン含有液体石鹸・リンス。
【請求項５】
請求項２に記載の容器入りアスタキサンチン含有液体石鹸・リンスにおいて、
容器は、変形可能なフィルム容器で形成されており、
開口部は、内容液が流出する通路とつながり、通路の両側はフィルムが接着され、内容液の流出時以外は開口部が閉じ、密閉状態になってることを特徴とする、容器入りアスタキサンチン含有液体石鹸・リンス。
【発明の詳細な説明】
【０００１】
【発明の属する技術分野】
本発明は、容器入りのアスタキサンチン含有の液体石鹸又は液体リンスに関するものである。
【０００２】
【従来の技術】
アスタキサンチン含有の固形タイプの石鹸は、使用部位（表層部）が、常に外部環境の影響を受け、アスタキサンチンが劣化し易い状況に置かれる。
【０００３】
【発明が解決しようとする課題】
本発明は、アスタキサンチンを含有する液状の石鹸やリンスを容器に入れ、アスタキサンチン含有率の低下を抑え、アスタキサンチンの効能を維持することにある。
【０００４】
【課題を解決するための手段】
本発明は、開口部を有し、遮光性を有する容器と、該容器に収容されるアスタキサンチンを含有する液体石鹸又は液体リンスとを備え、アスタキサンチン含有率の低下を抑えることを特徴とする、容器入りアスタキサンチン含有液体石鹸・リンスにある。
また、本発明は、前記容器入りアスタキサンチン含有液体石鹸・リンスにおいて、容器の開口部を開閉する開閉部を備え、開閉部を閉じて容器内に空気を入り難くすることを特徴とする、容器入りアスタキサンチン含有液体石鹸・リンスにある。
【０００５】
【発明の実施の形態】
以下図面を参照しながら本発明の実施の形態について説明する。
【０００６】
＜イ＞アスタキサンチン含有液体石鹸・リンス
容器入りアスタキサンチン含有液体石鹸・リンスは、容器に収納してある、アスタキサンチンを含有している液状の石鹸、又は液状のリンスである。液状の石鹸は、液状のヘアーシャンプー又はボディシャンプーも含まれる。アスタキサンチンを液状の石鹸やリンスと混合し、容器に収納することにより、アスタキサンチンの物質の変化を防止し、効能を維持し、効能の低減を抑えることができる。アスタキサンチンは、液状の石鹸又はリンスに対して、０．０００１重量％以上含有するのが好ましく、０．００１重量％〜０．００５重量％含有するのが更に好ましい。アスタキサンチンを配合した液体石鹸やリンスは、湿疹、アトピーなどの症状を緩和し、また、フケやかゆみを抑える効能を有している。
【０００７】
＜ロ＞アスタキサンチン
アスタキサンチンは、抗酸化剤として使用され、例えば、天然物から超臨界ガス、アセトン、ヘキサン等の有機溶剤を用いて分離することができる。天然物としては、緑藻ヘマトコッカス、赤色酵母ファフィア、アメリカザリガニやナンキョクオキアミ等がある。
【０００８】
＜ハ＞容器
容器は、アスタキサンチン含有液体石鹸・リンス中のアスタキサンチン含有率の低下を抑えるために、外部からの光の浸入を抑える、遮光性を有することが好ましい。容器は、更に、容器内に空気が侵入し難いような構造の開口部、あるいは、開口部を開閉する蓋などの開閉部を備えているものが好ましい。開閉部は、完全な密閉でなくてもよく、実質的に、容器内に空気の侵入をできる限り少なくしたものであればよい。容器は、遮光性を伴う、ポリエチレン、ポリプロピレン、ポリエチレンテレフタレート、ポリ塩化ビニル、ポリエステル、ナイロン、ポリスチレン、ポリ塩化ビニリデン、アクリロニトリル、スチレンなどのプラスチックや、アルミ製が適用されるが、特に材質は限定されない。
【０００９】
＜ニ＞エアレスポンプ式容器
エアレスポンプ式容器１は、図１（Ａ）に示すように、遮光性を有し、ポンプ３を押すと、容器１からアスタキサンチン含有液体石鹸・リンス４が取り出せ、空気が容器内に侵入することを防止するものである。ポンプ３に弁が形成されており、アスタキサンチン含有液体石鹸・リンス４は容器１外に排出でき、しかも、弁球３３を利用した弁機能３２により、外部から空気が入ることを阻止している。その代わり、容器１の内部に仕切部１１が設けてあり、仕切部１１の移動により、アスタキサンチン含有液体石鹸・リンス４の排出量に見合う空間を減少させている。この構成により、容器１内への酸素の侵入を抑制している。
【００１０】
＜ホ＞蓋付チューブ
蓋付チューブ１は、図１（Ｂ）に示すように、遮光性を有し、変形容易な材質からなるチューブ状の容器１であり、開口部２を蓋２１で開閉するものである。チューブの両側部を指などで押さえると、チューブ内に圧力がかかり、アスタキサンチン含有液体石鹸・リンス４が開口部２から排出される。蓋２１は口径の大きなものであると、蓋２１を下に向けて、チューブ１を逆さに立てて、保持することができる。このように逆さに立てると、開口部２が容器１の下側に配置され、空気が容器１内に入り難くなる。蓋２１の内側と開口部２の外側にねじ山とねじ谷を設けると、蓋２１を開口部２にねじで固定することができる。蓋２１の内側に凸部２２を設け、開口部の端部に穴部２３を設け、蓋２１を開口部２に取り付けた際、凸部２２が穴部２３に入れ込み、穴を塞ぎ、開口部２を密閉することができる。チューブは、多層構造にするとより遮光性や空気の遮断を更によくすることができる。チューブの多層構造は、ポリエチレン、ポリプロピレン、ポリエチレンテレフタレート、セロハン、アルミなどの数種類の組み合わせが考えられる。
【００１１】
＜ヘ＞フィルム容器
フィルム容器１は、図２（Ａ）に示すように、遮光性を有し、変形容易なフィルムで形成され、例えば、少なくとも２枚のフィルムの周囲を重ね合わせて接着して袋状に形成する。フィルム容器の開口部２は、２枚のフィルムの周辺において、接着しない個所で通路２５を形成し、通路２５の両側を接着し、固定して接着部２４とする。開口部２を開く場合、通路の両側の接着部２４に外力を付与して、開口部２を広げる。外力を除くと、自動的に密着状態になり、通路２５が閉じ、袋内部への空気の侵入を遮断する。即ち、フィルムが接着されていない通路２５で形成され、通路２５の両側のフィルムが接合され、内容物の排出時以外は開口部２が密閉状態になってる。フィルムは、多層構造にするとより遮光性や空気の遮断を更によくすることができる。フィルムの多層構造は、ポリエチレン、ポリプロピレン、ポリエチレンテレフタレート、セロハン、アルミなどの数種類の組み合わせが考えられる。
【００１２】
＜ト＞ポンプ式ボトル
ポンプ式ボトル１は、図２（Ｂ）に示すように、遮光性を有し、円筒などの形状の容器に開口部２を設け、開口部２にポンプ３が配置されている。ポンプ３を押すと、容器１内のアスタキサンチン含有液体石鹸・リンス４が排出される。開口部２にはノズル３１が接続され、ノズル３１の端部は、アスタキサンチン含有液体石鹸・リンス４内に配置される。これにより、容器１内への空気の侵入を阻止することができる。
【００１３】
＜チ＞蓋付容器
蓋付容器１は、図２（Ｃ）に示すように、遮光性を有し、円筒などの形状の容器に開口部２を設け、開口部２を蓋２１で閉めて、アスタキサンチン含有液体石鹸・リンス４になるべく空気が接触しない構造である。蓋２１の内部に凸部２２を設け、開口部２の端部に穴部２３を設け、蓋２１を閉めた際、凸部２２が穴部２３に入り込み、開口部２を密閉することができる。
【００１４】
以下に、アスタキサンチン入りの液体石鹸の保存試験を説明する。
【００１５】
＜イ＞試験検体
試験検体は、アスタキサンチンを含有する固形の石鹸と液状の石鹸を対比して行った。試験開始時の固形石鹸のアスタキサンチンの含有量は、０．００１４重量％であり、液体石鹸のアスタキサンチンの含有量は、０．００２５重量％である。
【００１６】
＜ロ＞試験検体の保存方法
試験検体の保存方法は、固形石鹸は容器で覆わないで、室内の窓際の明るい場所（明所）と窓際の流しの下（暗所）にそれぞれ保存し、液体石鹸は、遮光性を有するポリエチレン（ＰＥ）製及びポリ塩化ビニール（ＰＶＣ）製の異なる材質でできた２種類の蓋付容器に入れ、室内の窓際の明るい場所（明所）と窓際の流しの下（暗所）にそれぞれ保存した。固形石鹸も液体石鹸も毎日１回使用した。この条件で４週間保存した。
【００１７】
＜ハ＞アスタキサンチンの含有量の測定
アスタキサンチンの分析方法は、固形石鹸の場合、石鹸上部より１ｍｍ厚程度の表層をこそぎ取り、酢酸エチルで抽出後、吸光度（４７８ｎｍ）を測定し、アスタキサンチンの含有量を求めた。液体石鹸の場合、一定量の検体を測り取り、同様に測定した。
【００１８】
＜ニ＞測定結果
測定結果は、保存試験開始（０週間）から２及び４週間後にサンプリングし、測定した。その結果は、表１に示すように、いずれの液体石鹸も、アスタキサンチン含有量の低下がみられなかったが、固形石鹸では、２週間後、表層が約８５％ものアスタキサンチン含有量の低下が見られ、４週間後では約９７％も低下し、有効量は僅か約３％を残すのみであった。一方、固形石鹸でも暗所に保管した場合は比較的安定で４週間後でも７５％が残存している。なお、残存率が１００％を超えている値は測定誤差である。
【００１９】
【表１】
2005002175.tif 000003
【００２０】
このように、アスタキサンチンを含有した液体石鹸を容器に入れることにより、外部環境の影響から遮断され、アスタキサンチン含有率の低下を抑え、アスタキサンチンの効能を維持できる。固形石鹸の場合でも、暗所に保管することにより、ある程度は有効量を維持することはできるが、特に容器を遮光性にすることにより、アスタキサンチンの劣化をほぼ完全に抑えることができた。前記のエアレスポンプ容器、蓋付チューブ及びフィルム容器は、更に空気の侵入を遮断することが可能となり、アスタキサンチンの安定性をさらに高めることができる。
【００２１】
【発明の効果】
本発明は、アスタキサンチンを含有する液状の石鹸やリンスを容器に入れ、アスタキサンチン含有率の低下を抑え、アスタキサンチンの効能を維持することができる。
【図面の簡単な説明】
【図１】複数の容器入りアスタキサンチン含有液体石鹸・リンスの説明図
【図２】複数の他の容器入りアスタキサンチン含有液体石鹸・リンスの説明図
【符号の説明】
１・・・容器
１１・・仕切部
２・・・開口部
２１・・蓋
２２・・凸部
２３・・穴部
２４・・接着部
２５・・通路
３・・・ポンプ
３１・・ノズル
３２・・弁機能
３３・・弁球
４・・・アスタキサンチン含有液体石鹸・リンス
【図１】
2005002175.tif 000004
【図２】
2005002175.tif 000005